(57)【特許請求の範囲】
【請求項１】
移動無線（モービル）受信機を、当該移動無線受信機が位置している位置にとって重要な情報、殊に、交通情報を有している送信局に同調するための方法であって、前記移動無線受信機が位置している位置を求め、求めた位置に依存する入力量を用いて、記憶されているリストから、求めた位置にとって重要な情報を有している送信局を識別する出力量として送信局識別信号を読み出し、前記移動無線受信機を、読み出された前記送信局識別信号を有している送信局に同調し、
前記移動無線受信機による位置特定のために、デジタル送信される、同調された前記送信局の送信局識別信号、殊に、ＲＤＳシステムのＰＩコードを受信して評価し、
同調された周波数及び受信された前記送信局識別信号を、地域に応じて設けられた、メモリに記憶された周波数及び識別信号と比較し、
受信された前記送信局が位置していて、当該位置を前記移動無線受信機が位置している位置であると推定される地域を特定する方法において、
複数の地域が求められた場合には、受信された送信局のカテゴリーを評価して、当該送信局に最高のカテゴリーが割当てられている場合には、当該地域を、移動無線受信機が位置している位置とし、前記カテゴリーにより、前記送信局が前記地域をどの程度の広さでカバーしているかに依存して前記送信局の区分を示し、前記カテゴリーを、当該カテゴリーが低い場合には前記送信局が前記移動無線受信機から離れた位置で当該移動無線受信機を包囲しているようにして当該地域を完全にカバーしていることを示し、前記カテゴリが高くなればなるほど、前記送信局が前記移動無線受信機の直ぐ近くの位置で当該移動無線受信機をカバーするように前記当該地域の面積が狭いことを示すように構成し、
そうでない場合、移動無線受信機を別の周波数に接続し、それにより、特定地域の数を低減し、受信された送信局識別信号を用いて、調整された送信局が位置している地域が特定され、前述の過程を繰り返して、はっきりした地域が特定されるか、又は、最高カテゴリーの周波数によって特徴付けられて、最も細かく分解して評価されるまで行う
ことを特徴とする方法。
【請求項２】
移動無線（モービル）受信機を、当該移動無線受信機のその都度の位置にとって重要な情報、有利には交通情報を有している送信局に調整するための方法であって、前記移動無線受信機のその都度の位置を求め、求めた位置に依存する入力量を用いて、記憶されているリストから、求めた位置にとって重要な情報を有している送信局を識別する出力量として送信局識別信号を読み出し、前記移動無線受信機を、読み出された前記送信局識別信号を有している送信局に調整する方法において、
移動無線受信機が位置している位置をＧＰＳ受信機を用いて求めることを特徴とする方法。
【請求項３】
入力量を、操作要素を介して入力できる種々のデータに依存させることを特徴とする請求の範囲１又は２のうちの１記載の方法。
【請求項４】
読み出されたプログラム識別コードを用いて送信局を調整するために、送信局同調過程を開始し、その過程で受信されたプログラム識別コードを、読み出されたプログラム識別コードと比較し、読み出されたプログラム識別コードの一つと、その都度受信された送信局のプログラム識別コードとが等しい場合、送信局同調過程を止めて確定することを特徴とする請求の範囲１〜３までのうちの１記載の方法。
【請求項５】
複数位置地域に関する複数入力量を一つの入力量に統合して、求めた複数位置から入力量を算出するようにすることを特徴とする請求の範囲１〜４までのうちの１記載の方法。
【請求項６】
入力量の形成の際、種々の時点で求められた複数の位置の比較によって測定された、移動無線受信機の移動を考慮して、当該移動無線受信機が移動しようとしている位置に位置している地域にとって重要な情報を持った送信局が調整されることを特徴とする請求の範囲１〜５までのうちの１記載の方法。
【請求項７】
請求項１から６迄の何れか１記載の方法を実施するための移動無線受信機において、
移動無線受信機の位置を求めるための装置（１３；１０）と、
プログラム識別コードと、移動無線受信機の可能な位置に依存する入力量との対応関係を含んでいる記憶リスト（１４）と、
ラジオ-データ-信号-デコーダ（９）と接続された出力側（３）を備えた受信部（２）と、
送信局同調過程を含む、受信部（２）の制御用、デコードされたラジオ-データ-信号の評価用、位置特定用装置（１３；１０）により得られた位置から入力量の形成用、形成された入力量に依存した、プログラム識別コードの照会用のコンピュータ（１０）と
を特徴とする移動無線受信機。
【請求項８】
入力量が依存する種々のデータを入力することができる操作要素（１２）を特徴とする請求の範囲７記載の移動無線受信機。
【請求項９】
移動無線受信機の位置に依存する入力量の代わりに、前記移動無線受信機が位置している前記位置に依存しない地域の地理的な特徴を示すデータを入力することができることを特徴とする請求の範囲７又は８記載の移動無線受信機。
【請求項１０】
リストが、交換可能なデータ担体、殊に、チップカードに記憶されていることを特徴とする請求の範囲７〜９までのいずれか１記載の移動無線受信機。
【発明の詳細な説明】
本発明は、移動無線（モービル）受信機を、当該移動無線受信機のその都度の位置にとって重要な情報、有利には交通情報を有している送信局に調整するための方法であって、移動無線受信機のその都度の位置を求め、求めた位置に依存する入力量を用いて、記憶されているリストから、求めた位置にとって重要な情報を有している送信局を識別する出力量として送信局識別信号を読み出し、移動無線受信機を、読み出された前記送信局識別信号を有している送信局に調整し、移動無線受信機による位置特定のために、デジタル送信される、調整された送信局の送信局識別信号、殊に、ＲＤＳシステムのＰＩコードを受信して評価し、調整された周波数及び受信された送信局識別信号を、地域に応じて設けられた、メモリに記憶された周波数及び識別信号と比較し、受信された送信局が位置していて、当該位置を移動無線受信機が位置している位置と推定される地域を特定する方法、及び、当該方法を実施する移動無線受信機に関している。
ドイツ連邦共和国の様な国内で送信されている沢山の交通情報の場合、自動車の運転手にとって重要なことは、できる限り、その運転手に関係のある情報だけを受信することである。それ故、比較的長いドライブ（場合によっては、複数の州に及ぶ）の場合、オートラジオを他の送信局に切り換える必要がある。公知のオートラジオの場合、この切換は、場合によっては、自動車道路の端に設置された掲示板（それぞれの地域用の交通情報を送信している送信局の周波数が示されている）に従って、手で行われる。この調整の際、交通情報を送信している送信局が識別信号を発信している広域交通無線系が役立つ。それによると、同調の際、適当なデコーダを備えたオートラジオで、交通無線送信局にだけ調整されるのである。更に、地域識別信号も伝送されている。それにより、オートラジオに予め設定された地域用の交通情報を送信している送信局が受信された場合だけ、同調作動するようにされるのである。この公知装置によって、送信局の同調動作は軽減されるが、最小限の注意を向ける必要はあり、それにより、交通の安全が損なわれる。
各送信局は、デジタルで送信局識別信号を送信しており、それにより、送信局をはっきり識別することができる。ヨーロッパでは、殆ど全ての送信局が、いわゆるラジオ-データ-情報(ＲＤＳ)を送信しており、その情報には、いわゆるプログラム識別コード（ＰＩ−コード）もあり、それにより、送信局をはっきり識別することができる。ＰＩ−コードは、送信局が位置している地方についての情報、及び、送信局が送信している各プログラム用の個別番号を含んでいる。ラジオ-データ-サービスは、更に、実際の交通情報が送信されている交通無線チャンネル(TMC = Traffic Message Channel)を含んでいる。
本発明の課題は、その都度、移動無線受信機がその時点で位置している位置にとって重要な交通情報、及び、場合によっては、他の情報が、ユーザの特別な操作なしに提供される方法及び移動無線受信機を提供することにある。
この課題は、本発明の方法によると、複数の地域が求められた場合には、受信された送信局のカテゴリーを評価して、当該送信局に最高のカテゴリーが割当てられている場合には、当該地域を、移動無線受信機が位置している位置とし、カテゴリーにより、送信局が地域をどの程度の広さでカバーしているかに依存して送信局の区分を示し、カテゴリーを、当該カテゴリーが低い場合には送信局が移動無線受信機から離れた位置で当該移動無線受信機を包囲しているようにして当該地域を完全にカバーしていることを示し、カテゴリが高くなればなるほど、送信局が移動無線受信機の直ぐ近くの位置で当該移動無線受信機をカバーするように当該地域の面積が狭いことを示すように構成し、そうでない場合、移動無線受信機を別の周波数に接続し、それにより、特定地域の数を低減し、受信された送信局識別信号を用いて、調整された送信局が位置している地域が特定され、前述の過程を繰り返して、はっきりした地域が特定されるか、又は、最高カテゴリーの周波数によって特徴付けられて、最も細かく分解して評価されるまで行うようにして解決される。
本発明の方法は、移動無線受信機が位置している地域にとって重要な送信局だけを受信できるという利点がある。重要な送信局が複数の送信局である場合、ユーザが選択することができる。
本発明の別の方法によると、移動無線受信機が位置している位置をＧＰＳ受信機を用いて求める。
移動無線受信機の位置は、本発明の方法によると、種々のやり方で求めることができ、位置をマニュアル入力することもできる。
付加的な装置、センサ等を用いずに、位置を自動的に求めることは、本発明の実施例によると、その都度受信可能な送信局から、移動無線受信機がある位置乃至地域を推定することができるようにようにして可能である。
本発明の方法のその他の実施例では、入力量を、操作要素を介して入力できる別の種々のデータに依存させるのである。こうすることによって、受信される、乃至、受信用に設けられている送信局の数を減らすことができる。例えば、ある州から、他の州への境界地域内で、ユーザが運転して入っていく州の送信局に制限することができる。
本発明の方法の有利な実施例の場合、読み出されたプログラム識別コードを用いて送信局を調整するために、送信局同調過程を開始し、その過程で受信されたプログラム識別コードを、読み出されたプログラム識別コードと比較し、読み出されたプログラム識別コードと、その都度受信された送信局のプログラム識別コードとが等しい場合、送信局同調過程を止めて確定することが提案されている。
こうすることによって、自動同調された複数の送信局を、ユーザが更に同調することが特に簡単になり、つまり、ユーザは、その送信局に関心がない場合にボタンを押しさえすればよいのである。
本発明の方法のその他の実施例では、複数位置地域に関する複数入力量を一つの入力量に統合して、求めた複数位置から入力量を算出するようにするのである。こうすることによって、テーブルを小さくすることができる他に、送信局の同調を不必要に頻繁に変更しないで済むようになるのである。
予測調整に関しては、本発明の方法では、入力量の形成の際、種々の時点で求められた複数の位置によって測定された、移動無線受信機の移動を考慮して、移動方向に位置している地域にとって重要な情報を持った送信局が調整されるようにして行うことができるのである。
本発明の移動無線受信機は、
移動無線受信機の位置を求めるための装置と、
プログラム識別コードと、移動無線受信機の可能な位置に依存する入力量との対応関係を含んでいる記憶リストと、
ラジオ-データ-信号-デコーダと接続された出力側を備えた受信部と、
送信局同調過程を含む、受信部の制御用、デコードされたラジオ-データ-信号の評価用、位置特定用装置により得られた位置から入力量の形成用、形成された入力量に依存した、プログラム識別コードの照会用のコンピュータとによって特徴付けられる。
移動無線受信機の位置を求めるための装置として、種々の公知装置がＧＰＳ−受信機に使用することができる。移動無線受信機の現在地を特定するための、適切な方法及び適切な装置は、出願人の以前の特許出願Ｐ４４２５１９４に記載されている。
送信局の同調をマニュアルで制御することができる本発明の移動無線受信機の実施例は、入力量が依存する別のデータを入力することができる操作要素にある。
本発明の移動無線受信機のその他の実施例では、移動無線受信機の位置に依存する入力量の代わりに、移動無線受信機が位置している位置に依存しない地域の地理的な特徴を示すデータを入力することができる。こうすることによって、ユーザは、例えば、恐らく短時間のうちに到着し、且つ、その交通状況にとって、その時点で関心のある地理領域を入力することができる。
本発明の移動無線受信機を複数の地域で利用可能にするためには、しかも、その際、対象となる州全てのプログラム識別コードを記憶しておく必要がないようにするためには、有利な実施例では、リストを交換可能なデータ担体、例えば、チップカードに記憶しておくことが提案されている。
本発明の実施例について、複数の図を用いて、以下、詳細に説明する。その際：
図１は、本発明の説明に必要な、本発明の、夫々の位置が個別装置によって求められる移動無線受信機のブロック接続図であり、
図２は、本発明の、夫々の位置が、その都度受信されている送信局から求められる移動無線受信機を示す図である。
図で、同じ部分には、同じ参照記号が示されている。
図１及び２に示されている移動無線受信機の場合、アンテナ１から受信された信号は、入力部２に供給され、その出力側３からは、ステレオ多重信号ＭＰＸが取り出し可能である。公知のように、ステレオ多重信号は、ステレオデコーダ４に供給され、その出力側から、オーディオ信号Ｌ及びＲが取り出し可能であり、増幅器５，６を介してスピーカ７，８に供給される。
受信部２の出力側３には、更に、ＡＲＩ／ＲＤＳデコーダ９が接続されており、その出力信号ＲＤＳは、マイクロコンピュータ１０に供給され、それにより、本発明の移動無線受信機の主要な機能が制御可能である。とりわけ、マイクロコンピュータ１０により、受信部２も、送信局の調整に関して制御される。マイクロコンピュータ１０は、指示装置１１（ディスプレイ）及び入力ユニット１２に接続されている。
図１の移動無線受信機では、マイクロコンピュータ１０には、更に、位置特定用装置１３及びリスト付メモリ１４が接続されており、このリストには、その都度地域Ｇにとって関心のある交通情報を送信している送信局のプログラム識別コードＰＩが記憶されている。更に、リストには、夫々の地域の境界（例えば、座標の最大及び最小値の形式で−図１では、ｘｍ及びｙｍとして示されている）が含まれている。
装置１３は、連続座標ｘ，ｙを形成し、この座標は、車両乃至移動無線受信機の移動に応じて変わる。マイクロコンピュータ１０は、座標を、夫々の地域Ｇに対してリスト１４内に記憶されている最小及び最大座標と比較し、その結果、その都度の座標ｘ，ｙが該当する地域Ｇが求められる。その際、移動方向も、順次連続して求められる各座標ｘ，ｙ間の差形成により考慮することができる。こうすることにより、例えば、移動無線受信機が地域Ｇの境界の方向に移動している場合、予め、この方向において直ぐ次に位置している地域を送信局調整の際考慮することができる。
地域Ｇが、既述のようにして求められる場合、この地域に対して、プログラム識別コードがリスト１４から読み出される。図１で、例として示されているリストの一部では、地域Ｇ１の場合、プログラム識別コード１，２又は３を有する送信局にとって重要な情報が送信されている。地域Ｇ２の場合、プログラム識別コード２，４又は５の送信局であり、地域Ｇ３の場合、プログラム識別コード４，５又は６の送信局である。
マイクロコンピュータ１０は、それから、受信部２を送信局同調過程で制御し、その際、場合によっては、交通情報を送信している送信局だけが考慮される。同調過程が、或一つの送信局に調整されると直ぐに、この送信局と共に受信されるプログラム識別コードが、リスト１４から読み出されたプログラム識別コードと比較される。非同調の場合、同調過程が再び開始され、同調の場合、調整された送信局が次の同調動作が行われるまで受信される。
図２の実施例の場合、移動無線受信機の位置は、一つ又は複数の送信局のサンプル(プローブ)形式による受信によって求められる。そのために、関心のある各地域の夫々のリスト１５内に、受信可能な送信局がその周波数、そのプログラム識別コード、カテゴリー及びクラスと共に記憶されている。カテゴリーは、夫々の送信局が当該地域をどの程度の広さでカバーしているかに依存して送信局の区分を示している。クラスは、送信効率、従って、実質的に送信局の到達範囲を示している。
種々の送信局のサンプル形式による受信によって、各地域Ｇの一つのテーブル１５を用いて求められる。その際、段階的に進められ、その結果、できる限り少ない送信局をサンプル形式により受信することができる。例えば、送信局の受信後、この送信局が各地域の内の一つの地域内でだけ受信可能であることが確定されたならば、その位置乃至地域Ｇは、求められたものとされる。或一つの送信局の受信が複数地域で行われるものと推定される場合、別の送信局が、そのカテゴリー及びそのクラスを考慮してチェックされ、各地域の内の一つが明確に決められるまで行われる。その際、送信局は、夫々の地域にとって重要な情報が送信されているのか否かによらずに考慮される。
地域Ｇが求められた後、リスト１４から一つ又は複数のＰＩ−コードが読み出され、送信局の調整のために利用される（図１に関して既述したように）。
【図１】
0003683275.tif 000002
【図２】
0003683275.tif 000003